(57)【要約】【課題】メインテナンス性を向上した入退室管理システムを提供すること。【解決手段】ＩＣカード読取装置２３からの認証結果に基づく有接点リレー３５の接点切替により電気錠２２の作動を制御する電気錠制御装置３０と、電気錠制御装置３０と通信可能に接続された中央制御装置４０とを備える入退室管理システム１０において、電気錠制御装置３０には、複数組のＩＣカード読取装置２３及び電気錠２２が接続され、電気錠制御装置３０は、各電気錠２２に対応する有接点リレー３５ごとにユニット化された複数個のリレーユニットモジュール３１を備え、リレーユニットモジュール３１ごとの有接点リレー３５の切替回数に基づいて各有接点リレー３５の劣化状態を推定し、その劣化状態を表示部３７にて表示する。また、中央制御送致においても、リレーユニットモジュール３１ごとの有接点リレー３５の劣化状態を表示する。【選択図】図２
2008214860.tif 000002
【特許請求の範囲】
【請求項１】
ＩＣタグに記録された識別情報を非接触で読み取り、当該識別情報の認証を行う非接触式ＩＣタグ読取装置と、
前記ＩＣタグ読取装置からの認証結果に基づく有接点リレーの接点切替により、前記ＩＣタグ読取装置に対応して設けられた電気錠の作動を制御する電気錠制御装置と、
前記電気錠制御装置と通信可能に接続された中央制御装置とを備える入退室管理システムにおいて、
前記電気錠制御装置には、前記ＩＣタグ読取装置及びそれに対応する電気錠の組が複数組接続されるとともに、
前記電気錠制御装置は、前記各組の電気錠に対応する有接点リレーごとに回路基板上にユニット化されて構成される複数個のリレーユニットと、前記リレーユニットごとの有接点リレーの切替回数をカウントするカウント手段と、前記カウント手段によりカウントされた前記リレーユニットごとの有接点リレーの切替回数に基づいて前記リレーユニットごとの有接点リレーの劣化状態を推定する劣化状態推定手段と、前記劣化状態推定手段により推定された前記リレーユニットごとの有接点リレーの劣化状態を報知する第１報知手段と、前記リレーユニットごとの有接点リレーの切替回数及び劣化状態の少なくとも一方を前記中央制御装置に送信する送信手段とを備え、
前記中央制御装置は、前記リレーユニットごとの有接点リレーの切替回数及び劣化状態の少なくとも一方を報知する第２報知手段を備えることを特徴とする入退室管理システム。
【発明の詳細な説明】
【技術分野】
【０００１】
本願発明は、建物における入退室管理に用いて好適な入退室管理システムに関するものである。
【背景技術】
【０００２】
従来、ＩＣカードに記録された利用者の識別情報（ＩＤ情報）を読み取るＩＣカード読取装置からのＩＤ情報に基づいて建物内のドアなどに取り付けられた電気錠を制御し、建物の特定のエリアに出入りする人を管理する入退室管理システムがある（例えば特許文献１参照）。特許文献１に記載の入退室管理システムでは、ＩＣカード読取装置からＩＤの認証信号を受けて電気錠の作動制御を行う電気錠制御装置は、各ドアに設けられた電気錠ごとにそれぞれ分散させて設けられている。
【特許文献１】特開平１０−４９７６７号公報
【発明の開示】
【発明が解決しようとする課題】
【０００３】
しかしながら、特許文献１に記載の入退室管理システムのように、各ドアの電気錠ごとに分散させて電気錠制御装置を設けることは、コストアップの原因となる。コストアップを抑えるためには、各ドアに対応する電気錠制御部を一の電気錠制御装置にまとめて設けることが考えられる。しかし、複数の電気錠制御部をまとめて設けると、その中の一の電気錠制御部の交換等のメインテナンスをする必要が生じた場合に、誤って他の電気錠制御部を交換してしまう虞がある。
【０００４】
本願発明は、上記問題に鑑みなされたものであり、複数の電気錠の作動をそれぞれ制御するためのモジュールを電気錠制御装置に複数備えた入退室管理システムにおいて、メインテナンス性を向上した構成を提供することを目的とする。
【課題を解決するための手段】
【０００５】
以下、上記課題を解決するのに有効な手段等につき説明する。なお以下では、理解を容易にするため、発明の実施の形態において対応する構成例を括弧書きで適宜示すが、この括弧書きで示した具体的構成例に限定されるものではない。
【０００６】
請求項１記載の発明は、ＩＣタグ（ＩＣカード２１）に記録された識別情報を非接触で読み取り、当該識別情報の認証を行う非接触式ＩＣタグ読取装置（ＩＣカード読取装置２３）と、前記ＩＣタグ読取装置からの認証結果に基づく有接点リレー（有接点リレー３５）の接点切替により、前記ＩＣタグ読取装置に対応して設けられた電気錠（電気錠２２）の作動を制御する電気錠制御装置（電気錠制御装置３０）と、前記電気錠制御装置と通信可能に接続された中央制御装置（中央制御装置４０）とを備える入退室管理システム（入退室管理システム１０）に関するものである。そして、前記電気錠制御装置には、前記ＩＣタグ読取装置及びそれに対応する電気錠の組が複数組接続されるとともに、前記電気錠制御装置は、前記各組の電気錠に対応する有接点リレーごとに回路基板上にユニット化されて構成される複数個のリレーユニット（リレーユニットモジュール３１）と、前記リレーユニットごとの有接点リレーの切替回数をカウントするカウント手段（ＣＰＵ３２）と、前記カウント手段によりカウントされた前記リレーユニットごとの有接点リレーの切替回数に基づいて前記リレーユニットごとの有接点リレーの劣化状態を推定する劣化状態推定手段（ＣＰＵ３２）と、前記劣化状態推定手段により推定された前記リレーユニットごとの有接点リレーの劣化状態を報知する第１報知手段（表示部３７）と、前記リレーユニットごとの有接点リレーの切替回数及び劣化状態の少なくとも一方を前記中央制御装置に送信する送信手段（伝送ドライバ部３４）とを備え、前記中央制御装置は、前記リレーユニットごとの有接点リレーの切替回数及び劣化状態の少なくとも一方を報知する第２報知手段（中央表示部４１）を備えることを特徴としている。
【発明の効果】
【０００７】
本願請求項１に記載の入退室管理システムによると、中央制御装置にはリレーユニットごとの有接点リレーの切替回数及び劣化状態の少なくとも一方が送信される。これにより、リレーユニットごとの有接点リレーの切替回数や劣化状態を、中央制御装置で一括して管理することが可能となる。また、中央制御装置は、それらを第２報知手段で報知するので、第２報知手段の報知結果に基づいて、リレーユニットのメインテナンスを施行業者等に指示することも可能となる。
【０００８】
また、請求項１に記載の発明では、電気錠制御装置にはリレーユニットごとの有接点リレーの劣化状態を報知する第１報知手段を備えているので、リレーユニットのメインテナンスを依頼された作業者が、交換すべきリレーユニットを現場において容易に確認することが可能となる。
【発明を実施するための最良の形態】
【０００９】
以下、本発明にかかる入退室管理システムを具体化した一実施の形態を図面に基づいて説明する。図１は本実施形態に係る入退室管理システムの全体構成を示すブロック図である。図２は電気錠制御装置の構成を示すブロック図である。図３は、リレーユニットモジュールの構成を示すブロック図である。
【００１０】
本実施形態の入退室管理システム１０は、ドアの通過希望者が携行するＩＣカード２１に記録された識別情報（ＩＤ情報）に基づいて、建物内のドアに取り付けられた電気錠２２を制御し、建物の特定のエリアに出入りする人を管理するものである。また、入退室管理システム１０は、システム内の構成要素の状態（作動回数や劣化状態等）をも管理するものである。
【００１１】
図１に示すように、入退室管理システム１０は、ＩＣカード読取装置２３及びそれに対応する電気錠２２と、電気錠制御装置３０と、中央制御装置４０とを含んで構成されている。本実施形態では、中央制御装置４０には、複数個の電気錠制御装置３０が接続されている。また、各電気錠制御装置３０には、複数組のＩＣカード読取装置２３及び電気錠２２が接続されている。
【００１２】
ＩＣカード読取装置２３は入退室管理が行われているドアの近傍に設けられている。ドアの通過希望者は、個人の識別情報（ＩＤ情報）が記憶されたＩＣタグを内蔵するＩＣカード２１を携行している。ＩＣカード読取装置２３は、ドアの通過希望者が携行するＩＣカード２１に記憶されたＩＤ情報を非接触で読み取るものである。ＩＣカード読取装置２３にはドアの通過を許可された者のＩＤ情報が予め登録されている。そして、ＩＤカード読取装置は、読み取ったＩＤ情報が予め記憶されているＩＤ情報と一致するか否かを判定し、それらが一致した場合に読み取ったＩＤ情報を認証して電気錠制御装置３０に認証信号を出力する。
【００１３】
電気錠制御装置３０は、リレーユニットモジュール３１、ＣＰＵ３２、記憶部３３及び伝送ドライバ部３４を含んで構成されている。リレーユニットモジュール３１はＩＣカード読取装置２３及びそれに対応する電気錠２２の各組に対応して複数個設けられている。各リレーユニットモジュール３１は、対応するＩＣカード読取装置２３及び電気錠２２ごとに分割された回路基板上に、有接点リレー３５と当該有接点リレー３５の駆動回路３６と表示部３７とを備えて構成されている。そして、各リレーユニットモジュール３１は、それぞれ独立して電気錠制御装置３０に対して着脱可能とされている。各リレーユニットモジュール３１には、対応するＩＣカード読取装置２３及び電気錠２２が接続されている。そして、ＩＣカード読取装置２３からの認証信号は対応するリレーユニットモジュール３１の駆動回路３６に入力され、この認証信号を受けた駆動回路３６により有接点リレー３５の接点が切り替えられて対応する電気錠２２の制御が行われる。
【００１４】
表示部３７は複数のＬＥＤを備えており、ＣＰＵ３２からの信号によりＬＥＤが点灯するようになっている。駆動回路３６はＣＰＵ３２にも接続されている。そしてＣＰＵ３２では各有接点リレー３５の切替回数の累積加算を行い、その累積加算結果を記憶部３３に記憶する。ＣＰＵ３２では各電気錠２２の作動回数の累積加算も行っており、この累積加算結果も記憶部３３に記憶する。ＣＰＵ３２は、有接点リレー３５の切替回数及び電気錠２２の作動回数に基づいて、有接点リレー３５及び電気錠２２の劣化状態の推定を行う。
【００１５】
詳述すると、ＣＰＵ３２は記憶部３３に記憶された有接点リレー３５の切替回数の累積加算値と予め設定された閾値とを比較して、有接点リレー３５の劣化状態を推定する。すなわち、有接点リレー３５は、接点切替の回数が多くなると接点が磨耗し、磨耗故障を起こす虞がある。このため、切替回数を所定の閾値と比較し、切替回数が閾値を超えた場合に有接点リレー３５の接点が磨耗劣化したものと推定するものである。
【００１６】
具体的には、ＣＰＵ３２は有接点リレー３５の切替回数を接点切替回数第１閾値及び接点切替回数第２閾値と順次比較する。接点切替回数第１閾値としては、統計上この閾値以上の回数の接点切替が行われると接点の磨耗劣化の可能性があると判断される程度の値が設定されている。また、接点切替回数第２閾値は接点切替回数第１閾値よりも大きな値が設定されており、この値以上の接点切替が行われると、接点の磨耗劣化の可能性が高いと判断される値が設定されている。そして、有接点リレー３５の切替回数が接点切替回数第１閾値以上接点切替回数第２閾値未満であると判断された場合には、有接点リレー３５の交換が推奨される状態にあるとして、表示部３７にリレーユニットモジュール３１交換推奨ＬＥＤを点灯させる。また、有接点リレー３５の切替回数が接点切替回数第２閾値以上であると判断された場合には、有接点リレー３５の交換が必要な状態にあるとして、表示部３７にリレーユニットモジュール３１交換警報ＬＥＤを点灯させる。
【００１７】
電気錠２２についても、作動回数が多くなると内部モータ等が劣化し得るため、電気錠２２作動回数第1閾値と第２閾値とを設定しておき、これらとの比較結果に応じて、表示部３７に電気錠２２交換推奨ＬＥＤ又は電気錠２２交換警報ＬＥＤを点灯させる。また、ＣＰＵ３２は、有接点リレー３５の切替回数及び電気錠２２の作動回数と各閾値との比較結果を、伝送ドライバ部３４を介して中央制御装置４０に送信する。
【００１８】
中央制御装置４０は管理センターに設置されている。中央制御装置４０には、各有接点リレー３５及び電気錠２２の劣化状態を表示する中央表示部４１が設けられている。そして、中央制御装置４０は、各電気錠制御装置３０からの信号に基づいて、各有接点リレー３５（リレーユニットモジュール３１）及び電気錠２２ごとの劣化状態を中央表示部４１に表示する。
【００１９】
以上詳述した本実施の形態によれば、以下の優れた効果が得られる。
【００２０】
本実施形態では、電気錠制御装置３０に装備されている複数個のリレーユニットモジュール３１は、それぞれ独立して着脱可能に構成されている。このため、電気錠制御装置３０内の特定のリレーユニットモジュール３１の有接点リレー３５が磨耗劣化した場合においても、当該磨耗劣化したリレーユニットモジュール３１のみを交換することが可能となる。その結果、電気錠制御装置３０のメインテナンス性を向上させることが可能となる。また、一の電気錠制御装置３０に複数個のリレーユニットモジュール３１を装備可能な構成としたので、建物内のレイアウト変更等で電気錠２２を設置するドアの個数が変更された場合でも容易に対応することが可能となる。
【００２１】
本実施形態では、電気錠制御装置３０において各リレーユニットモジュール３１における有接点リレー３５の接点切替回数値を累積加算し、この累積加算値を接点切替第１閾値及び接点切替第２閾値と比較することで有接点リレー３５の接点の磨耗劣化状態の推定をしている。そして、この推定結果は中央制御装置４０に送信されるとともに中央表示部４１に表示される。これにより、中央制御装置４０が設置された管理センターにおいて、入退室管理システム１０内の各有接点リレー３５の磨耗劣化状態を一括して把握することができる。このため、管理センターにおいて、全てのリレーユニットモジュール３１の劣化状態を把握することが可能となる。その結果、管理センターにおいて、中央表示部４１の表示に基づいて、リレーユニットモジュール３１のメインテナンスを施行業者等に指示することが可能となる。
【００２２】
本実施形態では、各リレーユニットモジュール３１には、各リレーユニットモジュール３１内の有接点リレー３５の磨耗劣化状態を表示する表示部３７が備えられている。これにより、リレーユニットモジュール３１のメインテナンスを依頼された作業者が、交換すべきリレーユニットモジュール３１を現場において容易に確認することが可能となる。すなわち、本実施形態では、一の電気錠制御装置３０内に複数のリレーユニットモジュール３１が存在し得るため、作業現場において作業者は電気錠制御装置３０内のいずれのリレーユニットモジュール３１を交換すべきなのかの判別が困難な可能性もある。この点本実施形態では、各リレーユニットモジュール３１に有接点リレー３５の磨耗劣化状態を示すＬＥＤが設けられている。このため、作業者は現場においてリレーユニットモジュール３１のＬＥＤが点灯しているかを確認することで、交換が必要なリレーユニットモジュール３１を容易に確認することが可能となる。
【００２３】
本実施形態では、有接点リレー３５の接点切替回数に加えて電気錠２２の作動回数の累積加算もされている。そして、電気錠２２の作動回数の累積加算値に基づいて電気錠２２の劣化状態も推定され、その推定結果が中央制御装置４０に送信されるとともに、中央表示部４１に表示される。この結果、中央表示部４１の表示に基づいて電気錠２２のメインテナンスを施工業者に指示することが可能となる。
【００２４】
本実施形態では、リレーユニットモジュール３１の劣化状態を示すＬＥＤ表示は、モジュール交換推奨ＬＥＤとモジュール交換警告ＬＥＤの２段階表示としている。モジュール交換警告の前にモジュール交換推奨のプレアラームを発することで交換実施時期を予め計画することが可能となり、メインテナンス性が向上する。
【００２５】
なお、本発明は上記実施の形態の記載内容に限定されず、例えば次のように実施しても良い。
【００２６】
上記実施形態では、有接点リレー３５の切替回数及び電気錠２２の作動回数と各閾値との比較結果に基づいて有接点リレー３５及び電気錠２２の劣化状態を推定し、その推定結果を電気錠制御装置３０から中央制御装置４０に送信した。しかし、推定結果に代えて又は推定結果に加えて、有接点リレー３５の切替回数及び電気錠２２の作動回数自体を中央制御装置４０に送信するようにしてもよい。これにより、中央制御装置４０が設置された管理センター等でリレーユニットモジュール３１及び電気錠２２の都度の切替及び作動回数を把握することが可能となる。
【００２７】
上記実施形態では、リレーユニットモジュール３１及び電気錠２２のそれぞれについて、劣化状態を判断するための２つの閾値を設定した。しかし、それぞれの劣化状態を判断するための閾値は、１つずつ設定するようにしてもよいし、更に多段階に設定してもよい。
【００２８】
上記実施形態では、各リレーユニットモジュール３１に表示部３７を設け、そこに各リレーユニットモジュール３１及び電気錠２２の劣化状態を表示した。しかし、リレーユニットモジュール３１とは別個の表示装置に各リレーユニットモジュール３１及び電気錠２２の劣化状態を表示するようにしてもよい。
【００２９】
上記実施形態では、一の電気錠制御装置３０に設けられるリレーユニットモジュール３１を４個としたが、一の電気錠制御装置３０に設けられるリレーユニットモジュール３１の個数は、電気錠制御装置３０に接続されるＩＣカード読取装置２３及び電気錠２２の組数に応じて変更することが可能である。
【００３０】
上記実施形態では、表示部３７及び中央表示部４１において、ＬＥＤを点灯させてリレーユニットモジュール３１の劣化状態等を表示したが、ブザーや音声等の方法で報知するようにしてもよい。
【図面の簡単な説明】
【００３１】
【図１】本願発明の実施形態に係る入退室管理システムの全体構成を示すブロック図である。
【図２】本願発明の実施形態に係る電子錠制御装置の構成を示すブロック図である。
【図３】本願発明の実施形態に係るリレーユニットモジュールの構成を示すブロック図である。
【符号の説明】
【００３２】
１０…入退室管理システム、２１…ＩＣカード、２２…電気錠、２３…ＩＣカード読取装置、３０…電気錠制御装置、３１…リレーユニットモジュール、３２…ＣＰＵ、３３…記憶部、３４…伝送ドライバ部、３５…有接点リレー、３６…駆動回路、３７…表示部、４０…中央制御装置、４１…中央表示部。
【図１】
2008214860.tif 000003
【図２】
2008214860.tif 000004
【図３】
2008214860.tif 000005